(57)【要約】【課題】録画機器が待機状態であっても応答性の高い録画を実現することができる放送受信装置を提供する。【解決手段】デジタルテレビ１は、ＰＶＲ１０２への録画の指示入力に基づいて蓄積用メモリ２１６に番組データ（ＴＶＲＥＣ）の記録を行い、起動されたＰＶＲ１０２のチャンネルをデジタルテレビ１０１で受信しているチャンネルに設定する。また、ＰＶＲ１０２に番組データ（ＲＲＥＣ）の記録を行い、ＰＶＲ１０２への記録の開始の後に蓄積用メモリ２１６への記録を終了させ、ＰＶＲ１０２への記録の終了の後に蓄積用メモリ２１６に記録された番組データ（ＴＶＲＥＣ）をＰＶＲ１０２に移動する。さらに、蓄積用メモリ２１６に記録された番組データ（ＴＶＲＥＣ）のＤＴＶ側番組ファイルとＰＶＲ１０２に記録された番組データ（ＲＲＥＣ）のＰＶＲ側番組ファイルとを同一の番組として記憶する。【選択図】図５
2008252636.tif 000002
【特許請求の範囲】
【請求項１】
録画機器に接続される放送受信装置において、
前記録画機器への録画の指示入力に基づいて、メモリに番組データの記録を行う第１の記録手段と、
前記録画機器を起動する起動手段と、
前記録画機器のチャンネルを前記放送受信装置で受信しているチャンネルに設定する設定手段と、
前記録画機器に前記番組データを記録する第２の記録手段と、
前記第２の記録手段による記録の開始の後に、前記第１の記録手段の記録を終了させる記録終了手段と、
前記第２の記録手段による記録の終了の後に、前記記録手段によって記録された前記番組データを前記録画機器に移動する移動手段と、
前記第１の記録手段によって記録された前記番組データの第１のファイルと前記第２の記録手段によって録画された前記番組データの第２のファイルとを同一の番組として記憶する記憶手段とを備えることを特徴とする放送受信装置。
【請求項２】
前記記憶手段に記憶されている２つの前記ファイルの再生に際し、前記第２のファイルの先頭部を抽出する抽出手段と、
前記第１のファイルを再生する第１の再生手段と、
前記第１の再生手段による前記第１のファイルの再生中に、前記第２のファイルの先頭部と同じ部分に達したか否かを判定する判定手段と、
前記判定手段により前記第１のファイルが前記第２のファイルの先頭部と同じ部分に達したと判定された場合に、前記第２のファイルを再生する第２の再生手段とを備えることを特徴とする請求項１記載の放送受信装置。
【請求項３】
前記第１の記録手段による前記メモリへの前記番組データの記録に際し、前記メモリに空き容量があるか否かを判定する容量判定手段と、
前記容量判定手段により前記メモリに空き容量がないと判定されたときに、一番古い前記ファイルを前記メモリから消去する消去手段とを備えることを特徴とする請求項１記載の放送受信装置。
【請求項４】
録画機器と接続される放送受信装置において、
前記録画機器への録画の指示入力に基づいて、メモリに番組データの記録を行う第１の記録手段と、
前記録画機器を起動する起動手段と、
前記録画機器のチャンネルを前記放送受信装置で受信しているチャンネルに設定する設定手段と、
前記録画機器に前記番組データの記録を行う第２の記録手段と、
前記第２の記録手段による記録の開始の後に、前記第１の記録手段の記録を終了させる記録終了手段と、
前記第２の記録手段により記録された前記番組データを読み込む第１の読み込み手段と、
前記第１の読み込み手段により読み込まれた前記番組データの先頭部を抽出する抽出手段と、
前記第１の記録手段によって記録された前記番組データを読み込む第２の読み込み手段と、
前記第２の読み込み手段による前記番組データの読み込み中に、前記抽出手段によって抽出された前記番組データの先頭部と同じ部分に達したか否かを判定する判定手段と、
前記判定手段により、前記第２の読み込み手段によって読み込まれた前記番組データの部分が前記抽出手段によって抽出された前記番組データの先頭部と同じ部分に達したと判定されたときに、以降の前記第１の記録手段によって記録された前記番組データを破棄する破棄手段と、
前記第１の記録手段によって記録された前記番組データを前記録画機器に移動する移動手段と、
前記第１の記録手段によって記録された前記番組データの第１のファイルと前記第２の記録手段によって記録された前記番組データの第２のファイルとを同一の番組として記憶する記憶手段とを備えることを特徴とする放送受信装置。
【請求項５】
録画機器と接続される放送受信装置の制御方法であって、
前記録画機器への録画の指示入力に基づいて、メモリに番組データの記録を行う第１の記録ステップと、
前記録画機器を起動する起動ステップと、
前記録画機器のチャンネルを前記放送受信装置で受信しているチャンネルに設定する設定ステップと、
前記録画機器に前記番組データの記録を行う第２の記録ステップと、
前記第２の記録ステップによる記録の開始の後に、前記第１の記録ステップの記録を終了させる記録終了ステップと、
前記第２の記録ステップによる記録の終了の後に、前記第１の記録ステップによって記録された前記番組データを前記録画機器に移動する移動ステップと、
前記第１の記録ステップによって記録された前記番組データの第１のファイルと前記第２の記録ステップによって記録された前記番組データの第２のファイルとを同一の番組として記憶する記憶ステップとを備えることを特徴とする放送受信装置の制御方法。
【請求項６】
前記記憶ステップに記憶されている前記番組の再生に際し、前記第２のファイルの先頭部を抽出する抽出ステップと、
前記第１のファイルを再生する第１の再生ステップと、
前記第１の再生ステップによる前記第１のファイルの再生中に前記第２のファイルの先頭部と同じ部分に達したか否かを判定する判定ステップと、
前記判定ステップにより、前記第１のファイルが前記第２のファイルの先頭部と同じ部分に達したと判定された場合に、前記第２のファイルを再生する第２の再生ステップとを備えることを特徴とする請求項５記載の放送受信装置の制御方法。
【請求項７】
前記第１の記録ステップによる前記メモリへの前記番組データの記録に際し、前記メモリに空き容量があるか否かを判定する容量判定ステップと、
前記容量判定ステップにより前記メモリに空き容量がないと判定されたときに、一番古い前記ファイルを前記メモリから消去する消去ステップとを備えることを特徴とする請求項５記載の放送受信装置の制御方法。
【請求項８】
録画機器と接続される放送受信装置の制御方法であって、
前記録画機器への録画の指示入力に基づいて、メモリに番組データの記録を行う第１の記録ステップと、
前記録画機器を起動する起動ステップと、
前記録画機器のチャンネルを前記放送受信装置で受信しているチャンネルに設定する設定ステップと、
前記録画機器に前記番組データの記録を行う第２の記録ステップと、
前記第２の記録ステップによる記録の開始の後に、前記第１の記録ステップの記録を終了させる記録終了ステップと、
前記第２の記録ステップにより記録された前記番組データを読み込む第１の読み込みステップと、
前記第１の読み込みステップにより読み込まれた前記番組データの先頭部を抽出する抽出ステップと、
前記第１の記録ステップによって記録された前記番組データを読み込む第２の読み込みステップと、
前記第２の読み込みステップによる前記番組データの読み込み中に、前記抽出ステップによって抽出された前記番組データの先頭部と同じ部分に達したか否かを判定する判定ステップと、
前記判定ステップにより、前記第２の読み込みステップによって読み込まれた前記番組データの部分が前記抽出ステップによって抽出された前記番組データの先頭部と同じ部分に達したと判定されたときに、以降の前記第１の記録ステップによって記録された前記番組データを破棄する破棄ステップと、
前記第１の記録ステップによって記録された前記番組データを前記録画機器に移動する移動ステップと、
前記第１の記録ステップによって記録された前記番組データの第１のファイルと前記第２の記録ステップによって記録された前記番組データの第２のファイルとを同一の番組として記憶する記憶ステップとを備えることを特徴とする放送受信装置の制御方法。
【発明の詳細な説明】
【技術分野】
【０００１】
本発明は、地上波デジタル放送や衛星デジタル放送等の放送波を受信する放送受信装置及びその制御方法に関し、特に、接続された録画機器を制御する放送受信装置及びその制御方法に関する。
【背景技術】
【０００２】
従来、放送を録画する方法として、地上デジタル放送、ＢＳデジタル放送やＣＳデジタル放送をテレビ受像機などの放送受信装置で受信し、受信した番組をＩＥＥＥ１３９４やＬＡＮ等の伝送路を介してＤ−ＶＨＳレコーダやＨＤＤレコーダ等のＰＶＲ（Personal Video Recorder）に録画する方法が知られている。また、放送を録画する方法として、上記のような放送をＰＶＲで直接受信し、受信した番組をＰＶＲで録画する方法も知られている。
【０００３】
近年、ＰＶＲは、大量なデータを格納可能な記録メディアとしてのＨＤＤ（ハードディスクドライブ）を内蔵し、更に、ＤＶＤやＢｌｕ−ｒａｙ等のディスクの再生／録画用にディスクドライブを内蔵したものが主流となってきている。
【０００４】
このようなＰＶＲでは、ＰＶＲに内蔵される記録メディアが安定動作するのに時間が掛かるため、待機状態から録画命令を実行するまでに１分近く時間がかかり、受信した番組をすぐに録画することができないという問題があった。
【０００５】
また、放送中の番組をＰＶＲに録画する場合は、ユーザはその番組の途中からしか録画することができず、番組全体を録画するためには番組が開始する前に録画準備をしなければならない。
【０００６】
上記のような問題を解消するべく、番組の開始時から自動的に一定時間の録画が可能なリングバッファ（循環バッファ）に第１の記録（録画）を行い、録画命令がなされた時点で通常の録画領域に第２の記録を行い、第１の記録による番組の第１の部分と第２の記録による番組の第２の部分とを結合するシステムが提案されている（例えば、特許文献１参照）。
【特許文献１】特表２００４−５０５５５４号公報
【発明の開示】
【発明が解決しようとする課題】
【０００７】
しかしながら、上述のようなシステムでは、待機状態の録画機器に録画を実行させる場合、瞬時に録画を実行させることができないという問題がある。一方、録画機器を常時起動状態にしておけば、瞬時に録画を実行させることが可能であるが、消費電力が多くなるという問題が発生するため好ましくない。
【０００８】
本発明の目的は、接続された録画機器が待機状態であっても応答性の高い録画を実現することができる放送受信装置及びその制御方法を提供することにある。
【課題を解決するための手段】
【０００９】
上記目的を達成するために、本発明は、録画機器に接続される放送受信装置において、前記録画機器への録画の指示入力に基づいて、メモリに番組データの記録を行う第１の記録手段と、前記録画機器を起動する起動手段と、前記録画機器のチャンネルを前記放送受信装置で受信しているチャンネルに設定する設定手段と、前記録画機器に前記番組データを記録する第２の記録手段と、前記第２の記録手段による記録の開始の後に、前記第１の記録手段の記録を終了させる記録終了手段と、前記第２の記録手段による記録の終了の後に、前記記録手段によって記録された前記番組データを前記録画機器に移動する移動手段と、前記第１の記録手段によって記録された前記番組データの第１のファイルと前記第２の記録手段によって録画された前記番組データの第２のファイルとを同一の番組として記憶する記憶手段とを備えることを特徴とする。
【発明の効果】
【００１０】
本発明によれば、録画機器への録画の指示入力に基づいてメモリに番組データの記録を行い、起動された録画機器のチャンネルを放送受信装置で受信しているチャンネルに設定する。また、録画機器に番組データの記録を行い、録画機器への記録の開始の後にメモリへの記録を終了させ、録画機器への記録の終了の後にメモリに記録された番組データを録画機器に移動する。さらに、メモリに記録された前記番組データの第１のファイルと録画機器に記録された番組データの第２のファイルとを同一の番組として記憶する。
【００１１】
したがって、接続された録画機器が待機状態であっても応答性の高い録画を実現することができる。
【発明を実施するための最良の形態】
【００１２】
以下、本発明の実施の形態を図面を参照しながら詳細に説明する。
【００１３】
図１は、本発明の実施の形態に係る放送受信装置を含むデジタル放送受信システムの構成を概略的に示す図である。なお、本発明の実施の形態では、デジタル放送を前提に説明を行うが、デジタル放送に限定されるものではない。
【００１４】
図１において、デジタル放送受信システムは、放送受信装置としてのデジタルテレビ（ＤＴＶ）１０１、パーソナルビデオレコーダ（ＰＶＲ）１０２（録画機器）、及びアンテナ１０３を備える。
【００１５】
デジタルテレビ１０１は、デジタル放送を受信し、受信した放送データをデコードして映像や音声を出力する。
【００１６】
ＰＶＲ１０２は、記録メディアを内蔵し、該記録メディアに映像データや音声データを記録する。記録メディアは、ＤＶＤ等の光ディスクや、ハードディスク等の磁気ディスクがある。ＰＶＲ１０２により記録された映像データや音声データは、デジタルテレビ１０１によって再生することができる。
【００１７】
アンテナ１０３は、地上デジタル放送信号や衛星デジタル放送信号を受信する。リモートコントローラ（以下、単に「リモコン」という）１０４は、ユーザの指示入力に基づいてデジタルテレビ１０１に指示信号を送信する。リモートコントローラ（以下、単に「リモコンという）１０５は、ＰＶＲ１０２に指示信号を送信する。
【００１８】
アンテナケーブル１０６は、アンテナ１０３とデジタルテレビ１０１及びＰＶＲ１０２を接続する。デジタルケーブル１０７は、デジタルテレビ１０１とＰＶＲ１０２を接続する。このデジタルケーブル１０７はＩＥＥＥ１３９４形式や、ＬＡＮ（Ｌｏｃａｌ  Ａｒｅａ  Ｎｅｔｗｏｒｋ）等が考えられる。特に伝送形式は問わない。
【００１９】
尚、図１では、デジタルテレビ１０１、ＰＶＲ１０２をそれぞれ別の筐体として示しているが、本発明はシステム構成によって限定されるものではない。例えば、デジタルテレビ１０１とＰＶＲ１０２は同一の筐体に納められていてもよい。
【００２０】
また、本実施の形態では、アンテナ１０３を用いてテレビジョン放送データを受信するが、アンテナ１０３の代わりにケーブルを用いてテレビジョン放送データを受信してもよい。
【００２１】
図２は、図１におけるデジタルテレビ１０１の構成を示すブロック図である。
【００２２】
図２のデジタルテレビ１０１は、以下の構成要素（動作機能部）を備える。
【００２３】
２０１は、アンテナ１０３からの地上波デジタル放送、ＢＳデジタル放送、ＣＳデジタル放送をアンテナケーブル１０６を介して受信し、ＴＳデータを生成するチューナ部である。具体的には、チューナ部２０１は、受信した信号に対して復調、誤り訂正等の処理を施し、その後、トランスポートストリーム（ＴＳ）と呼ばれる形式のデジタルデータ（ＴＳデータ）を生成する。ここで、トランスポートストリームとは、複数の番組を１つのストリーム（データ列）にして伝送可能なＭＰＥＧ（Moving Picture Experts Group）のプロトコルである。また、チューナ部２０１は、選局指示を受けた場合に、デジタル放送信号から所定のチャンネルのＴＳデータを生成する。
【００２４】
また、チューナ部２０１は、ＴＳデータとともにＴＳデータに重畳されたＴＭＣＣ（Transmission and Multiplexing Configuration Control）信号を復調し出力する。ＴＭＣＣ信号は、伝送路上での信号単位（スロット）毎に、変調方式や誤り訂正方式を指定可能な階層変調方式を実現するための伝送多重制御信号を指す。
【００２５】
２０２は、チューナ部２０１、外部機器制御部２１４及び内部蓄積制御部２１５から出力されるＴＳデータをパケット識別子（ＰＩＤ）でフィルタリングして各種データに分離するデマルチプレクサである。具体的には、デマルチプレクサ２０２は、入力されたＴＳデータを、ＭＰＥＧ２画像データ、ＭＰＥＧ２音声データ、データ放送用データ等の複数のパケットデータに分離する。デマルチプレクサ２０２は、デスクランブル処理を行うために、暗号解読キーを格納したＣＡＭ（Conditional Access Module）２０８からキーを読み出し、暗号化されたＴＳデータを解読する。
【００２６】
２０３は、デマルチプレクサ２０２によって分離されたＭＰＥＧ２画像データを復号するＭＰＥＧ２ビデオデコーダである。
【００２７】
２０４は、ＭＰＥＧ２ビデオデコーダ２０３により復号された画像データと後述するシステム制御部２０７により生成された表示データとを切替又は合成して出力する映像出力部である。映像出力部２０４は、フレームメモリ２１１を用いて上記の画像を合成し、後述する表示部２１７の仕様に合った信号フォーマットの映像データに変換する。
【００２８】
２０５は、デマルチプレクサ２０２によって分離されたＭＰＥＧ２音声データを復号するＭＰＥＧ２オーディオデコーダである。
【００２９】
２０６は、ＭＰＥＧ２オーディオデコーダ２０５で復号された音声データをステレオ音声等のアナログ音声信号に変換し、該アナログ音声信号をスピーカ２１８に出力するＤ／Ａ変換部である。
【００３０】
２０７は、デジタルテレビ１０１が有する各機能を制御するシステム制御部（ワークメモリを含む）である。システム制御部２０７は、後述する制御信号バス２１９を介して各動作機能部を統括的に制御する。
【００３１】
また、システム制御部２０７は、デマルチプレクサ２０２により分離されたＰＭＴ（Program Map Table）等のテーブルデータやデータ放送用データ等のデジタルデータを解読する処理を行う。
【００３２】
システム制御部２０７は、映像出力部２０４に送信する表示データを生成する処理を行う。具体的には、システム制御部２０７の制御により不図示の画像描画部によって表示情報が描画され、該描画された表示データが映像出力部２０４に送信される。また、システム制御部２０７は、後述する番組情報記憶部２１２に番組情報を記憶させる処理を行う。
【００３３】
２０８は、図示しないＣＰＵ、ＲＯＭ、ＲＡＭ等から構成されるＩＣカードの読取装置を含むＣＡＭ（Conditional Access Module）である。デマルチプレクサ２０２は、ＩＣカードに含まれる暗号解読キー及び解読プログラムを用いて、暗号化されたＴＳデータを解読する。
【００３４】
２０９は、システム制御部２０７に接続され、ＰＶＲ１０２に記録されている番組データを含むファイルの情報（ファイル情報）を管理するファイル管理部である。
【００３５】
２１０は、ユーザがリモコン１０４や図示しない操作パネルを操作することにより、放送受信に関する各種操作の指示が入力される操作入力部である。
【００３６】
２１１は、映像出力部２０４が画像を合成する際に、画像の一時蓄積用メモリ（リングバッファ）として使用されるフレームメモリである。
【００３７】
２１２は、番組選択のための番組情報や、ファイル管理部２０９により管理されたファイル情報を記憶する番組情報記憶部である。
【００３８】
２１３は、デマルチプレクサ２０２によって分離された複数のパケットデータを蓄積用ＴＳデータ（録画用番組データ）として多重化するマルチプレクサである。
【００３９】
２１４は、マルチプレクサ２１３により多重化された蓄積用ＴＳデータを、デジタルケーブル１０７を介して接続されたＰＶＲ１０２に出力する外部機器制御部である。尚、外部機器制御部２１４は、ＴＳデータをＰＶＲ１０２に出力するだけでなく、ＰＶＲ１０２からのＴＳデータの読み出しやファイル情報の読み出し等の制御を行う。
【００４０】
２１５は、マルチプレクサ２１３により多重化された蓄積用ＴＳデータを蓄積用メモリ２１６に記録する内部蓄積制御部である。尚、内部蓄積制御部２１５は、蓄積用ＴＳデータを蓄積用メモリ２１６に記録するだけでなく、蓄積用メモリ２１６に記録されたＴＳデータを読み出す（再生する）ことが可能である。
【００４１】
２１６は、内部蓄積制御部２１５に内蔵され、内部蓄積制御部２１５が扱う蓄積用ＴＳデータを格納する蓄積用メモリである。蓄積用メモリ２１６としては、電源を切ってもデータを失わないように磁気ディスク、フラッシュメモリ等のメディアが用いられ、あるいは電源が入っている時の一時的な記憶のためにＲＡＭが用いられ、又は上記メディア及びＲＡＭの双方が用いられる。
【００４２】
２１７は、映像出力部２０４から出力された映像データを表示する表示部である。表示部２１７としては、ＣＲＴ（Cathode Ray Tube）、液晶パネル、プラズマパネル、ＦＥＤ（Ｆield Emission display）、ＥＬ（Electroluminescence）パネル等が用いられる。
【００４３】
２１８は、Ｄ／Ａ変換部２０６より出力される音声信号を音に変換するスピーカである。スピーカ２１８は、ステレオの場合は２ｃｈ（チャンネル）出力、サラウンドの場合は５．１ｃｈ出力を行う。２１９は、システム制御部２０７と各動作機能部をつなぐ制御信号バスである。
【００４４】
次に、図１のデジタル放送受信システムで実行されるデジタル放送の出力処理を説明する。
【００４５】
まず、ユーザがリモコン１０４を用いて所定のチャンネルに対応する指示を入力すると、該指示入力が操作入力部２１０を介してチャンネル情報（サービスＩＤ）としてシステム制御部２０７に入力される。
【００４６】
システム制御部２０７は、入力されたチャンネル情報を、周波数やＴＳＩＤ等の情報に変換する。尚、ＴＳＩＤとはトランスポートストリームのＩＤ情報である。
【００４７】
システム制御部２０７は、周波数及びＴＳＩＤをチューナ部２０１に設定する。チューナ部２０１は、システム制御部２０７により設定された周波数に応じたチャンネルの信号を受信するように動作し、受信した信号をＴＳデータに変換する。
【００４８】
チューナ部２０１で変換されたＴＳデータは、デマルチプレクサ２０２によってＭＰＥＧ２画像データ、ＭＰＥＧ２音声データ、テーブルデータ等の複数のパケットデータに分離される。ＭＰＥＧ２画像データは、ＭＰＥＧ２ビデオデコーダ２０３によってデコードされ、フレームまたはフィールド単位の画像データとなる。また、ＭＰＥＧ２音声データは、ＭＰＥＧ２オーディオデコーダ２０５によってデコードされ、連続的な音声データとなる。テーブルデータ等のその他のパケットデータは、システム制御部２０７によって所定の処理が施される。
【００４９】
尚、チューナ部２０１から出力されたＴＳデータが暗号化されたスクランブル信号である場合、デマルチプレクサ２０２はＣＡＭ２０８を用いて暗号解読処理を行う。
【００５０】
映像出力部２０４は、ＭＰＥＧ２ビデオデコーダ２０３でデコードされた画像データを表示用の映像データに変換する。
【００５１】
また、Ｄ／Ａ変換部２０６は、ＭＰＥＧ２オーディオデコーダ２０５でデコードされた音声データに対してＤ／Ａ変換処理を実行する。ステレオの場合、音声データはＤ／Ａ変換処理によって左チャンネルと右チャンネルの信号として出力される。最終的に、映像データと音声データは、表示部２１７とスピーカ２１８からユーザが視聴可能な形態で出力される。
【００５２】
次に、図１のデジタル放送受信システムで実行されるデジタル放送の録画処理を説明する。ＴＳデータがデマルチプレクサ２０２に入力されるまでの各処理は、上述したデジタル放送の出力処理と同様であるので、その説明を省略する。
【００５３】
デマルチプレクサ２０２に入力されたＴＳデータは、マルチプレクサ２１３によって蓄積用ＴＳデータに変換される。
【００５４】
マルチプレクサ２１３から出力された蓄積用ＴＳデータは、外部機器制御部２１４及び／又は内部蓄積制御部２１５に入力される。外部機器制御部２１４及び／又は内部蓄積制御部２１５は、入力された蓄積用ＴＳデータに対してＤＴＣＰ（Digital Transmission Content Protection）や独自暗号化処理等の著作権保護処理を施す。
【００５５】
著作権保護処理が施された蓄積用ＴＳデータは、ＰＶＲ１０２及び／又は蓄積用メモリ２１６に出力され、ＰＶＲ１０２及び／又は蓄積用メモリ２１６に記録される。
【００５６】
ここで、ＰＶＲ１０２は、通常、蓄積用ＴＳデータを蓄積する蓄積用メモリを備えている。今実施の形態では、デジタルテレビ１０１の蓄積用メモリ２１６の構成は、PＶＲ１０２の蓄積用メモリと同様である。この場合、外部機器制御部２１４が所定のチャンネルに対応する指示信号をＰＶＲ１０２に出力し、さらに、録画の指示信号をＰＶＲ１０２に送信することにより、ＰＶＲ１０２の蓄積用メモリに蓄積用ＴＳデータを記録させることが可能である。
【００５７】
また、ＰＶＲ１０２は、リモコン１０５からの指示入力により、デジタルテレビ１０１とは独立に蓄積用ＴＳデータを蓄積用メモリに記録することも可能である。
【００５８】
本実施の形態では、システム制御部２０７は、ＰＶＲ１０２への録画指示が入力されていない場合又はＰＶＲ１０２が待機状態でない場合（通電状態であった場合）は、蓄積用メモリ２１６に蓄積用ＴＳデータを記録する通常録画モードを選択し、ＰＶＲ１０２への録画指示が入力され且つＰＶＲ１０２が待機状態である場合（通電状態でない場合）は、ＰＶＲ１０２の蓄積用メモリに蓄積用ＴＳデータを記録するクイック録画モードを選択する。
【００５９】
次に、ＰＶＲ１０２に記録されたＴＳデータの再生処理について説明する。
【００６０】
まず、ＰＶＲ１０２に記録されている複数の番組から再生する番組を選択するため、ファイル管理部２０９は、システム制御部２０７及び外部機器制御部２１４を介してＰＶＲ１０２に記録されている番組データを含むファイル情報を取得する。
【００６１】
表示部２１７は、ファイル管理部２０９が取得したファイル情報（図３参照）に基づいて作成される録画番組リスト（図４参照）を表示する。なお、図３に示すように、各番組データのファイル名は重複しないように割り振られ、番組名、開始時間等の情報がファイル情報として管理される。
【００６２】
表示部２１７に表示される録画番組リストには、例えば、図４のように、録画された各番組の日付、番組名、放送チャンネル、録画時間等の情報が表示される。ユーザは、リモコン１０４を用いて、再生する番組を選択する。
【００６３】
ユーザにより選択された番組のＴＳデータは、ＰＶＲ１０２からデジタルケーブル１０７を介して外部機器制御部２１４に入力される。入力されたＴＳデータに著作権保護処理が施されている場合は、ＤＴＣＰ等の処理シーケンスが実行される。その後、ＴＳデータは外部機器制御部２１４からデマルチプレクサ２０２に入力される。
【００６４】
デマルチプレクサ２０２は、ＴＳデータをＭＰＥＧ２画像データ、ＭＰＥＧ２音声データ、テーブルデータ等の複数のパケットデータに分離する。分離されたＭＰＥＧ２画像データは、ＭＰＥＧ２ビデオデコーダ２０３によってデコードされ、ＭＰＥＧ２音声データは、ＭＰＥＧ２オーディオデコーダ２０５によってデコードされる。データ放送用データ等のその他のパケットデータは、システム制御部２０７によって所定の処理がなされる。デコードされた各データに対する処理は、上述した出力処理と同様であるので、その説明を省略する。
【００６５】
次に、蓄積用メモリ２１６に記録された蓄積用ＴＳデータの再生処理について説明する。尚、蓄積用メモリ２１６に記録されている複数の番組から再生する番組を選択する方法は、上記ＰＶＲ１０２に記録されたＴＳデータの再生処理と同様であるので、その説明を省略する。本再生処理では、ファイル管理部２０９は、システム制御部２０７及び内部蓄積制御部２１５を介して、蓄積用メモリ２１６に記録されている番組データを含むファイル情報を取得する。また、内部蓄積制御部２１５は外部蓄積制御部２１４とは異なる著作権保護処理を実行し、独自暗号化処理が施されている場合は復号処理が行われる。
【００６６】
蓄積用メモリ２１６に記録されている番組のファイル情報はファイル管理部２０９で管理されており、番組情報記憶部２１２に図３に示すようなファイル情報が保存される。表示部２１７は、番組情報記憶部２１２に保存されたファイル情報に基づいて図４に示すような録画番組リストを表示する。表示部２１７に表示される録画番組リストには、例えば、図４のように、録画された各番組の日付、番組名、放送チャンネル、録画時間等の情報が表示される。ユーザは、リモコン１０４を用いて、再生する番組を選択する。
【００６７】
（第１の実施の形態）
次に、図５を用いて、ＰＶＲ１０２が待機状態である場合にユーザからの指示によりデジタルテレビ１０１で受信中の番組を録画する処理について説明する。
【００６８】
図５は、図２のデジタルテレビ１０１により実行される録画処理を示すフローチャートである。尚、本処理は、図２におけるシステム制御部２０７が各動作機能部を制御すると共に外部機器制御部２１４を介してＰＶＲ１０２を制御することによって実行される。
【００６９】
図５において、デジタルテレビ１０１は通常の放送を受信している状態となっている。
【００７０】
まず、ユーザがリモコン１０４等を用いて録画の指示を入力すると、該指示入力が操作入力部２１０を介してシステム制御部２０７に入力される。次に、入力された指示がＰＶＲ１０２への録画指示であり且つＰＶＲ１０２が待機状態であるか否かを判定し（ステップＳ５０１）、入力された指示がＰＶＲ１０２への録画指示であり且つＰＶＲ１０２が待機状態であるときは、クイック録画モードを選択してステップＳ５０３に進む。入力された指示がＰＶＲ１０２への録画指示でないとき又はＰＶＲ１０２が待機状態でないとき（他の番組の録画を実行しているため録画指示を受け付けられない状態等）は、通常録画モードを選択し、通常録画（蓄積用メモリ２１６への蓄積用ＴＳデータの記録）を実行して（ステップＳ５０２）、本処理を終了する。
【００７１】
一方、クイック録画モードが選択された場合は、デジタルテレビ１０１の蓄積用メモリ２１６に番組データを記録し（第１の記録手段）（ステップＳ５０３）、さらに、現在の録画モードがクイック録画モードである旨を表示部２１７に表示する（ステップＳ５０４）。これにより、現在の録画モードがクイック録画モードである旨がユーザに通知される。
【００７２】
その後、ＰＶＲ１０２を起動する起動信号をＰＶＲ１０２に送信する（起動手段）（巣ステップＳ５０５）。次いで、ＰＶＲ１０２が待機状態から起動状態に移行したか否かを判定し（ステップＳ５０６）、ＰＶＲ１０２が起動状態に移行した場合は、現在チューナ部２０１が受信している番組のチャンネルと同じチャンネルをＰＶＲ１０２に設定し（設定手段）（ステップＳ５０７）、ステップＳ５０８に進む。なお、システム制御部２０７は、ＰＶＲ１０２の動作状態に関する情報を外部機器制御部２１４を介して取得することにより、ＰＶＲ１０２が待機状態であるか起動状態であるかを判定することができる。
【００７３】
次いで、ＰＶＲ１０２に番組の録画開始信号を送信し、ＰＶＲ１０２での番組データの記録が開始される（第２の記録手段）（ステップＳ５０８）。ＰＶＲ１０２での番組データの記録が開始された後、デジタルテレビ１０１の蓄積用メモリ２１６での番組データの記録を終了し（記録終了手段）（ステップＳ５０９）、蓄積用メモリ２１６に記録された番組データ（ＴＶＲＥＣ）を含むＤＴＶ側番組ファイル（例えば、図３のファイル「２００６１００１−００４．ｔｓ」）を保存する。
【００７４】
次に、ユーザによるリモコン１０４等の操作により、録画終了の指示が入力されたか否かを判定する（ステップＳ５１０）。録画終了の指示入力は操作入力部２１０を介してシステム制御部２０７に送信される。録画終了の指示が入力されたときは、ＰＶＲ１０２に番組の録画終了信号を送信してＰＶＲ１０２での番組データの記録を終了させ（ステップＳ５１１）、ＰＶＲ１０２に記録された番組データ（ＲＲＥＣ）を含むＰＶＲ側番組ファイル（例えば、図３のファイル「２００６１００１−００５．ｔｓ」）の情報をＰＶＲ１０２から取得する。
【００７５】
次に、蓄積用メモリ２１６に記録された番組データをＰＶＲ１０２に移動する（移動手段）（ステップＳ５１２）。このとき、録画された番組が著作権保護処理を必要とする番組である場合は、ＰＶＲ１０２に移動する番組データに対して著作権保護処理を施す。
【００７６】
ファイル管理部２０９は、ＰＶＲ側番組ファイルのファイル情報を読み出し、ＰＶＲ側番組ファイルとＤＴＶ側番組ファイルとを同一の番組として管理するべく、ＰＶＲ側番組ファイルとＤＴＶ側番組ファイルとが同一番組のファイルであることを示す番組結合情報を番組情報記憶部２１２に記憶し（記憶手段）（ステップＳ５１３）、本処理を終了する。
【００７７】
ステップＳ５１３で記憶された番組結合情報は、例えば、図６に示すような画面を表示部２１７に表示させることにより、確認することができる。図６において、ファイル名「２００６１００１−００４．ｔｓ」及び「２００６１００１−００５．ｔｓ」の２つのファイルは、番組名「ＤＤＤ」である同一の番組ファイルとして扱われる。
【００７８】
次に、図７を用いて、ユーザからの指示によりＰＶＲ１０２に録画されている番組を再生する処理について説明する。
【００７９】
図７は、図２のデジタルテレビ１０１により実行される再生処理を説明するためのフローチャートである。
【００８０】
尚、本処理は、図２におけるシステム制御部２０７が各動作機能部を制御すると共に外部機器制御部２１４を介してＰＶＲ１０２を制御することによって実行される。
【００８１】
図７において、ユーザがリモコン１０４を用いて録画番組リストを表示する指示を入力すると、操作入力部２１０は該指示入力に対応する信号をシステム制御部２０７に送信し、デジタルテレビ１０１は録画番組リスト画面を表示する（ステップＳ７０１）。
【００８２】
図４は、録画番組リスト画面の一例を示す図である。図４の録画番組リスト画面は、図３の内容のファイル情報と図６の番組結合情報を元に作成されたものである。図３におけるファイル情報の番号「００４」及び「００５」の番組は、図６における番組結合情報の番号「００１」の番組に対応し、図４における録画番組リスト画面では番組名「ＤＤＤ」として１つの番組として表示される。さらに、結合表示されていることを示すために「結合」と表示される。
【００８３】
次に、ユーザによるリモコン１０４の操作に基づいて、表示されている番組リストから再生を希望する番組が選択される（ステップＳ７０２）。このとき、図４のカーソル４０１をリモコン１０４の不図示の方向指示ボタンで移動し、不図示の決定ボタンで決定することで番組の選択を行う。図４では番組名「ＤＤＤ」の番組ファイルが選択されている。その後、選択された番組が結合番組か否かを判定し（ステップＳ７０３）、結合番組でない場合は後述するステップＳ７１０に進み、結合番組である場合はステップＳ７０４へ進む。
【００８４】
結合番組の２つのファイルのうち、ＰＶＲ１０２に記録された番組データ（ＲＲＥＣ）の先頭部を読み込み（ステップＳ７０４）、番組データ（ＲＲＥＣ）の先頭部のＧＯＰ（ＧｒｏｕｐＯｆ Ｐｉｃｔｕｒｅ）を蓄積用メモリ２１６に一時的に記憶する（ステップＳ７０５）。なお、ＭＰＥＧの動画においては、フレーム単位でデータを圧縮して作られたＩフレーム、前のＩフレームを基準に、変化があった差分だけをデータ化して作られるＰフレーム、前だけでなく後のフレームとの差分も利用するＢフレームが存在する。１つ以上のＩフレームと複数のＰフレーム及びＢフレームからなるひと固まりをＧＯＰと呼ぶ。
【００８５】
次に、結合番組の２つのファイルのうち、デジタルテレビ１０１で録画を行いＰＶＲ１０２に移動した番組データ（ＴＶＲＥＣ）の再生を指示する（第１の再生手段）（ステップＳ７０６）。
【００８６】
次いで、再生中の番組データ（ＴＶＲＥＣ）の再生位置に対応するＧＯＰと蓄積用メモリ２１６に一時的に記憶した番組データ（ＲＲＥＣ）の先頭部のＧＯＰの一部とを比較する（ステップＳ７０７）（図８）。そして、再生中の番組データ（ＴＶＲＥＣ）のＧＯＰと番組データ（ＲＲＥＣ）の先頭部のＧＯＰとが同一か否かを判定する。すなわち、番組データ（ＴＶＲＥＣ）のＧＯＰの再生中に、番組データ（ＲＲＥＣ）のＧＯＰの先頭部と同じ部分に達したか否かを判定する（判定手段）（ステップＳ７０８）。番組データ（ＲＲＥＣ）のＧＯＰの先頭部と同じ部分に達していなければステップＳ７０７に戻り、番組データ（ＲＲＥＣ）のＧＯＰの先頭部と同じ部分に達していればステップＳ７０９に進む。
【００８７】
その後、再生中の番組データ（ＴＶＲＥＣ）の再生を中止し、番組データ（ＴＶＲＥＣ）の再生位置に対応するＧＯＰを破棄する（破棄手段）（ステップＳ７０９）。そして、ＰＶＲ１０２により記録された番組データ（ＲＲＥＣ）の再生を行い、（第２の再生手段）（ステップＳ７１０）、ステップＳ７１５に進む。
【００８８】
次いで、番組データ（ＲＲＥＣ）の再生が終了したか否かを判定し（ステップＳ７１１）、番組データ（ＲＲＥＣ）の再生が終了した場合は、本処理を終了する。尚、本実施の形態では、再生処理時にＧＯＰの比較を行っているが（ステップＳ７０７）、録画処理時にＧＯＰの比較を行ってもよい。即ち、図５のステップＳ５１３の処理の後にＧＯＰの比較を行ってもよい。
【００８９】
図８は、結合番組の再生時のパケット処理を示す図である。このパケット処理は、図７のステップＳ７０７〜Ｓ７１０の処理に対応している。以下、結合番組である番組ＤＤＤを構成するファイル名「２００６１００１−００４．ｔｓ」の番組データ（ＴＶＲＥＣ）及びファイル名「２００６１００１−００５．ｔｓ」の番組データ（ＲＲＥＣ）を連続して再生する処理について説明する。
【００９０】
図８において、番組データ（ＴＶＲＥＣ）再生中は、番組データ（ＴＶＲＥＣ）のＧＯＰ１〜ＧＯＰ（Ａ−１）が、デコード用データ８０１〜８０３として、デマルチプレクサ２０２による分離処理、及び各種デコーダによるデコード処理が施されて表示部２１７に表示される。ここで、番組データ（ＴＶＲＥＣ）のＧＯＰ１〜ＧＯＰ（Ａ−１）は、番組データ（ＲＲＥＣ）のＧＯＰ１と一致しないため、番組データ（ＴＶＲＥＣ）のＧＯＰ１〜ＧＯＰ（Ａ−１）がデコード用データ８０１〜８０３として処理される。
【００９１】
そして、番組データ（ＴＶＲＥＣ）のＧＯＰ（Ａ）と番組データ（ＲＲＥＣ）のＧＯＰ１とが一致した結果、番組データ（ＲＲＥＣ）のＧＯＰ１がデコード用データ８０４として処理される。その後、番組データ（ＲＲＥＣ）のＧＯＰ２〜ＧＯＰ（Ｎ）がデコード用データ８０５〜８０６として処理される。これにより、デジタルテレビ１０１により記録された番組データ（ＴＶＲＥＣ）とＰＶＲ１０２により記録された番組データ（ＲＲＥＣ）とを１つの番組として連続して再生することができる。
【００９２】
本実施の形態によれば、ＰＶＲ１０２への録画の指示入力に基づいて蓄積用メモリ２１６に番組データ（ＴＶＲＥＣ）の記録を行い、起動されたＰＶＲ１０２のチャンネルをデジタルテレビ１０１で受信しているチャンネルに設定する。また、ＰＶＲ１０２に番組データ（ＲＲＥＣ）の記録を実行させ、ＰＶＲ１０２による記録が開始された後にデジタルテレビ１０１による蓄積用メモリ２１６への記録を終了させる。そして、ＰＶＲ１０２による記録が終了した後に、蓄積用メモリ２１６に記録された番組データ（ＴＶＲＥＣ）をＰＶＲ１０２に移動する。さらに、蓄積用メモリ２１６に一旦記録された番組データ（ＴＶＲＥＣ）のＤＴＶ側番組ファイルとＰＶＲ１０２に記録された番組データ（ＲＲＥＣ）のＰＶＲ側番組ファイルとを同一の番組として管理（記憶）する。これにより、デジタルテレビ１０１により記録された番組データ（ＴＶＲＥＣ）とＰＶＲ１０２により記録された番組データ（ＲＲＥＣ）とを１つの番組として連続して再生することが可能となる。以上のように、ＰＶＲ１０２が待機状態であっても応答性の高い録画を実現することができる。
【００９３】
なお、特許文献１記載の従来のシステムによれば、番組の開始から自動的に録画された第１の部分と、視聴者から録画コマンドを受信した時点から録画された第２の部分とを、物理的に結合させて、連続した録画を形成することができる。これにより、録画された番組全体を連続して再生することができる。
【００９４】
しかしながら、特許文献１では、本実施例の形態で示したように、デジタルテレビ１０１側から待機状態のＰＶＲ１０２を起動状態に移行させて、ＰＶＲ１０２での録画を実行させるような構成は開示されていない。
【００９５】
本発明によれば、デジタルテレビ１０１側から待機状態のＰＶＲ１０２を起動状態に移行させるまでに時間がかかるためにＰＶＲ１０２による録画を瞬時に実行させることができないという問題を解決することができる。また、デジタルテレビ１０１側から待機状態のＰＶＲ１０２を起動状態に移行させるまでに要する時間は、ＰＶＲ１０２の状態により常に一定であるとは限らない。このため、２つの番組データ（ＴＶＲＥＣ）及び番組データ（ＲＲＥＣ）のＧＯＰを比較することにより、同じシーンが重複することなく、連続再生できるようにしている。さらに、本発明では、ＰＶＲ１０２内に保存された２つの番組データ（ＴＶＲＥＣ）と番組データ（ＲＲＥＣ）とを物理的に結合しなくてもよいため、一般的なＰＶＲ１０２が接続されたデジタルテレビ１０１であれば、デジタルテレビ１０１側単体の構成により実現可能である。
【００９６】
（第２の実施の形態）
次に、本発明の第２の実施の形態を説明する。尚、本実施の形態は、その構成が上記第１の実施の形態と基本的に同じであるため、その説明を省略する。
【００９７】
上記第１の実施の形態では、蓄積用メモリ２１６をリングバッファとして用いることにより、ユーザが録画の指示を入力した時点から録画を行うことが可能である。この場合、蓄積用メモリ２１６の記録容量は、記録時間を２時間程度とすると数十ＧＢ必要となる。また、第１の実施の形態では、蓄積用メモリ２１６に保存されているＴＶＲＥＣをＰＶＲ１０２に移動する際、記録した番組データをそのまま移動していた。
【００９８】
本実施の形態では、デジタルテレビ１０１で受信中の放送を番組の先頭から録画すると共に、蓄積用メモリ２１６の記録容量を有効活用する。
【００９９】
図９は、本発明の第２の実施の形態に係る放送受信装置で実行される録画処理を示すフローチャートである。本処理は、図２におけるシステム制御部２０７が各動作機能部を制御し、更に外部機器制御部２１４を介してＰＶＲ１０２を制御することにより実行される。
【０１００】
図９において、デジタルテレビ１０１を起動し、チューナ部２０１にユーザが指定したチャンネルが設定され、該チャンネルの番組を視聴するものとする。
【０１０１】
デジタルテレビ１０１が起動されると、蓄積用メモリ２１６に現在視聴している番組の番組データＴＶＲＥＣ（Ｎ）の記録を自動的に開始する（ステップＳ９０１）。ここで、Ｎは、番組の番号を示す。
【０１０２】
その後、蓄積用メモリ２１６の空き容量が、番組データ（ＴＶＲＥＣ（Ｎ））の全てを記録するのに十分であるか否かを判定する（容量判定手段）（ステップＳ９０２）、蓄積用メモリ２１６の空き容量が十分であればステップＳ９０４に進み、空き容量が十分でなければ、蓄積されている一番古い番組データ（ＴＶＲＥＣ（Ｍ））を消去し（ステップＳ９０３）、ステップＳ９０４に進む。ここで、Ｍは番組の番号を示し、Ｍ＜Ｎである。
【０１０３】
次に、記録中の番組が変更されたか否かを判定し（ステップＳ９０４）、番組が変更されていなければステップＳ９０２に戻り、番組が変更されたらステップＳ９０５に進む。尚、番組の変更の判定は、番組情報記憶部２１２に記憶されている番組情報に基づいてシステム制御部２０７により実行される。例えば、視聴していた番組が終了して次の番組が開始した場合や、ユーザがチャンネルを切り替えた場合などは、番組が変更したと判定される。
【０１０４】
次いで、変更前の番組データ（ＴＶＲＥＣ（Ｎ））をファイル化し（ステップＳ９０５）、さらに、変更後の番組データに番号「Ｎ＋１」を付与する（ステップＳ９０６）。
【０１０５】
その後、録画を終了する指示入力があった否かを判別し（ステップ９０７）、録画を終了する指示入力がない場合はステップＳ９０１に戻り、録画を終了する指示入力があった場合は、本処理を終了する。
【０１０６】
図１２は、図９におけるステップＳ９０３の消去処理が実行される際に表示部２１７に表示される画面の一例を示す図である。
【０１０７】
図１２において、画面１２０１は、現在チャンネルＢＳ１２３の番組名「ＡＡＡ」の番組データを記録していて、チャンネルＤ７７７の番組名「ＥＥＥ」の番組データを消去している状態を示す。このように、蓄積用メモリ２１６の空き容量がなくなった場合は、最も古い番組データから消去していくことにより、常に視聴中の番組を録画するようにしている。
【０１０８】
ただし、記録されてから一定時間経過した番組データを自動的に消去するようにしてもよい。
【０１０９】
図１０は、図２のデジタルテレビ１０１により実行される録画処理を示すフローチャートであり、図１１は、図１０のフローチャートの続きを示す図である。具体的には、図１０及び図１１は、ＰＶＲ１０２が待機状態である場合に、ユーザからの指示によりデジタルテレビ１０１で受信中の放送番組のうちデジタルテレビ１０１で録画した部分をＰＶＲ１０２に移動する処理を行うフローチャートである。
【０１１０】
尚、図１０及び図１１の処理は、図２におけるシステム制御部２０７が各動作機能部を制御し、更に外部機器制御部２１４を介してＰＶＲ１０２を制御することにより実行される。また、本処理は、上述した第１の実施の形態における図５と対比される図であり、図５のステップと同一のステップには同一符号を付して、重複した説明を省略する。
【０１１１】
図１０において、ステップＳ５０１〜Ｓ５０９の処理により、番組データ（ＴＶＲＥＣ）を含むファイルは蓄積用メモリ２１６に保存され、番組データ（ＲＲＥＣ）はＰＶＲ１０２により録画（記録）開始される。
【０１１２】
ユーザからの録画終了指示を受けると（ステップＳ５１０）、ステップＳ５１１において、ＰＶＲ１０２での番組データ（ＲＲＥＣ）の記録を終了させ、番組データ（ＲＲＥＣ）のファイル情報をＰＶＲ１０２から取得する。
【０１１３】
次に、ＰＶＲ１０２に記録された番組データ（ＲＲＥＣ）の先頭部を読み込み（第１の読み込み手段）（ステップＳ１００１）、番組データ（ＲＲＥＣ）の先頭部のＧＯＰを抽出する（抽出手段）（ステップＳ１００２）。また、蓄積用メモリ２１６に記録された番組データ（ＴＶＲＥＣ）のＧＯＰを読み込み（第２の読み込み手段）、番組データ（ＴＶＲＥＣ）のＧＯＰを抽出する（ステップＳ１００３）。
【０１１４】
次に、読み込んだ番組データ（ＴＶＲＥＣ）のＧＯＰ番号をＡとし（Ａ＝１，２，…Ｎ）、そのＧＯＰをＴＶＲＥＣ（Ａ）とし（ステップＳ１００４）、ステップＳ１００５へ移行する。
【０１１５】
ＴＶＲＥＣ（Ａ）と番組データ（ＲＲＥＣ）の先頭部のＧＯＰとを比較し（ステップＳ１００５）、ＴＶＲＥＣ（Ａ）と番組データ（ＲＲＥＣ）の先頭部のＧＯＰとが同一であるか否かを判定する（判定手段）（ステップＳ１００６）。同一でなければＡの値をインクリメントして（Ａ＝Ａ＋１）（ステップＳ１００７）、ステップＳ１００５に戻り、同一であれば、ステップＳ１００８に進む。
【０１１６】
次いで、ＴＶＲＥＣ（Ａ）以降のＧＯＰ、すなわちＴＶＲＥＣ（Ａ＋１），…ＴＶＲＥＣ（Ａ＋２），…ＴＶＲＥＣ（Ｎ）を破棄（消去）して（破棄手段）、ＴＶＲＥＣを再ファイル化して、蓄積用メモリ２１６に記録された番組データをＰＶＲ１０２に移動する（ステップＳ５１２）。その後、ステップＳ５１３の処理を実行し、本処理を終了する。
【０１１７】
図１３は、結合番組の番組データ（ＴＶＲＥＣ）を移動する際のパケット処理を示す図である。このパケット処理は、図１０及び図１１のステップＳ１００１〜Ｓ１００８の処理に対応している。以下、結合番組である番組ＤＤＤを構成するファイル名「２００６１００１−００４．ｔｓ」の番組データ（ＴＶＲＥＣ）及びファイル名「２００６１００１−００５．ｔｓ」の番組データ（ＲＲＥＣ）に関する処理について説明する。
【０１１８】
図１３において、移動用データ１１０１として、記録された番組データ（ＲＲＥＣ）の最初のＧＯＰ１と番組データ（ＴＶＲＥＣ）のＧＯＰ１とを比較して不一致と判定された結果、番組データ（ＴＶＲＥＣ）のＧＯＰ１が選択される。移動用データ１１０２〜１１０３についても、同様に、番組データ（ＴＶＲＥＣ）のＧＯＰ２〜ＧＯＰ（Ａ−１）が選択される。番組データ（ＴＶＲＥＣ）のＧＯＰ（Ａ）は、記録された番組データ（ＲＲＥＣ）の最初のＧＯＰ１と一致すると判定された結果、破棄される。また、同様にして、番組データ（ＴＶＲＥＣ）のＧＯＰ（Ａ＋１）以降のＧＯＰが全て破棄（消去）される。これにより、番組データ（ＴＶＲＥＣ）のＧＯＰ（１）〜ＧＯＰ（Ａ−１）が移動用データとして蓄積用メモリ２１６に保存される。
【０１１９】
次に、図１４を用いて、ユーザの指示入力によりＰＶＲ１０２に録画されている番組を再生する処理について説明する。
【０１２０】
図１４は、図２のデジタルテレビ１０１により実行される再生処理を示すフローチャートである。本処理は、図２におけるシステム制御部２０７が各動作機能部を制御して更に外部機器制御部２１４を介してＰＶＲ１０２を制御することにより実行される。また、本処理は、上述した第１の実施の形態における図７と対比される図であり、図７のステップと同一のステップには同一符号を付して、重複した説明を省略する。
【０１２１】
図１４において、選択された番組が結合番組か否かを判定し（ステップＳ７０３）、結合番組でない場合はステップＳ１３０２に進み、結合番組である場合はステップＳ１３０１に進む。
【０１２２】
結合番組の２つのファイルのうち、デジタルテレビ１０１の蓄積用メモリ２１６に記録された番組データ（ＴＶＲＥＣ）を再生（ステップＳ１３０１）した後は、ステップ１３０２に進む。
【０１２３】
ステップＳ１３０２では、ＰＶＲ１０２に記録された番組データ（ＲＲＥＣ）の再生を行う。その後、番組データ（ＲＲＥＣ）の再生が終了したか否かを判定し（ステップＳ１３０３）、番組データ（ＲＲＥＣ）の再生が終了した場合は、本処理を終了する。
【０１２４】
すなわち、本処理では、番組データ（ＴＶＲＥＣ）を再生した後、その続きの番組データ（ＲＲＥＣ）を連続して再生する。したがって、本処理によれば、図７の処理に比して簡単な処理で番組が再生される。
【０１２５】
以上説明したように、本実施の形態では、番組の先頭からの録画が可能となる。また、デジタルテレビ１０１で再生する結合番組の結合する２つのファイルにおいて、互いに重複した番組データを無くす（消去する）ことで、ＰＶＲ１０２の蓄積用メモリの記憶領域を無駄に使用することを防止することができ、かつ再生処理をより容易に行うことができる。
【０１２６】
本実施の形態によれば、ＰＶＲ１０２が待機状態である場合で、デジタルテレビ１０１を視聴しているとき、その番組を録画しようとした場合、デジタルテレビ１０１に対して録画の指示を入力することにより、ＰＶＲ１０２が起動するまで間の番組データを欠落することなく録画することが可能となる。
【０１２７】
また、録画された番組を再生する場合においても、結合番組が途切れたり重複したりせずに１つの番組として再生されるので、ユーザは不快感なく番組を視聴することができる。
【０１２８】
また、本発明の目的は、上述した各実施の形態の機能をハードウェアで実現することの他、その一部又は全部を実現するソフトウェアのプログラムを記憶した記憶媒体を放送受信装置に供給し、その放送受信装置のコンピュータ（又はＣＰＵやＭＰＵ等）が記憶媒体に格納されたプログラムコードを読出して実行することによっても、達成される。
【０１２９】
この場合、記憶媒体から読出されたプログラムコード自体が上述した各実施の形態の機能を実現することとなり、そのプログラムコード及び該プログラムコードを記憶した記憶媒体は本発明を構成する。
【０１３０】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【０１３１】
コンピュータから読出されたプログラムコードを実行することにより、上述した各実施の形態の機能が実現されだけでなく、そのプログラムコードの指示に基づき、コンピュータ上で稼動するＯＳ（オペレーティングシステム）等が実際の処理の一部又は全部を行い、その処理によって前述した各実施形態の機能が実現される場合も含まれることは言うまでもない。
【０１３２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって前述した各実施形態の機能が実現される場合も含まれる。
【図面の簡単な説明】
【０１３３】
【図１】本発明の実施の形態に係る放送受信装置を含むデジタル放送受信システムの構成を概略的に示す図である。
【図２】図１におけるデジタルテレビの構成を示すブロック図である。
【図３】図２における番組情報記憶部に保存されるファイル情報を示す図である。
【図４】録画番組リスト画面の一例を示す図である。
【図５】図２のデジタルテレビにより実行される録画処理を示すフローチャートである。
【図６】図２おける表示部に表示される番組結合情報を示す図である。
【図７】図２のデジタルテレビにより実行される再生処理を説明するためのフローチャートである。
【図８】結合番組の再生時のパケット処理を示す図である。
【図９】本発明の第２の実施の形態に係る放送受信装置で実行される録画処理を示すフローチャートである。
【図１０】図２のデジタルテレビにより実行される録画処理を示すフローチャートである。
【図１１】図１０のフローチャートの続きを示す図である。
【図１２】図９におけるステップＳ９０３の消去処理が実行される際に表示部に表示される画面の一例を示す図である。
【図１３】結合番組の番組データ（ＴＶＲＥＣ）を移動する際のパケット処理を示す図である。
【図１４】図２のデジタルテレビにより実行される再生処理を示すフローチャートである。
【符号の説明】
【０１３４】
１０１  デジタルテレビ
１０２  ＰＶＲ
１０３  アンテナ
１０４  リモートコントローラ
１０５  リモートコントローラ
１０６  アンテナケーブル
１０７  デジタルケーブル
２１４  外部機器制御部
２１５  内部蓄積制御部
２１６  蓄積用メモリ
２１７  システム制御部
【図１】
2008252636.tif 000003
【図２】
2008252636.tif 000004
【図３】
2008252636.tif 000005
【図４】
2008252636.tif 000006
【図５】
2008252636.tif 000007
【図６】
2008252636.tif 000008
【図７】
2008252636.tif 000009
【図８】
2008252636.tif 000010
【図９】
2008252636.tif 000011
【図１０】
2008252636.tif 000012
【図１１】
2008252636.tif 000013
【図１２】
2008252636.tif 000014
【図１３】
2008252636.tif 000015
【図１４】
2008252636.tif 000016